(57)【要約】【課題】保管行為の補助をしながら、保管行為により確認できなくなった内部の保管品を識別表示する表示部で表示するとともに、使用中でない保管品表示クリップを目視により一見して確認出来、保管品の内容物の確認と在庫の有無、特に在庫のない物を一目で確認出来る保管品表示クリップの提供。【解決手段】保管品を識別表示する表示部を１つのつまみ部に備え、もう１つのつまみ片には永久磁石及び／又はゴムや紐等の挿着孔を備えた保管品表示クリップ。【選択図】図１
0003155099.tif 000002
【実用新案登録請求の範囲】
【請求項１】
保管品を識別表示する表示部を片方の挟み片のつまみ部に備えたことを特徴とする保管品表示クリップ。
【請求項２】
他のつまみ部に形設された永久磁石部及び／又はゴムや紐等の挿着孔を有することを特徴とする請求項１に記載の保管品表示クリップ。
【考案の詳細な説明】
【技術分野】
【０００１】
本考案は、冷蔵庫や引き出し、倉庫、または包装紙でくるまれた中身の保管品の保管品表示と、中身や種類の保管品の在庫の有無を容易に識別表示し、保管するそのものに容易に装着出来る保管品表示クリップに関するものである。
【背景技術】
【０００２】
従来知られている一対の挟み片で物を挟持するクリップは、いわゆる洗濯ばさみの形状が一般に普及している。これは挟む道具として弾性を備えた構造で、上部につまみ部を有し、本体のほぼ中央にらせん状のばねを介して一対の挟み片を対向配置して、それぞれのつまみ部とらせん状のばねの先端が共通の軸となり一対の挟み片を開閉自在に挟持するものである。普通この構造のものは、一対の挟み片の間にばねを介設して、普段はばねによって先端を閉じるよう構成されており、つまみ部をつまんだ時に先端部が開くように構成される。このつまみ部分に挿着孔を有するものもあり、この挿着孔にゴムや紐等を通して用い、本体を設置できる機能を持ち合わせるものもある。また、このつまみ部分に永久磁石を設置し、磁石設置可能な場所に磁着掲示出来る機能を持ち合わせるものもある（特許文献1）。また表示や識別できる機能を持つクリップ（特許文献2）、収納するもの自体に表示機能を持たせたもの（特許文献3）もある。
【先行技術文献】
【特許文献】
【０００３】
【特許文献１】特開２００４−２５１３８１号公報
【特許文献２】特開２００３−９４８７２号公報
【特許文献３】特開平１１−２７２１７８号公報
【考案の概要】
【考案が解決しようとする課題】
【０００４】
しかしながら上記従来の特許文献１〜３は以下の問題点を有していた。
すなわち特許文献１では保管品を表示する機能を持ち合わせておらず、包装された保管品の種類や中身の内容、個数が外見から分からず、包装を解かねばならないという課題があった。特許文献２では、印刷・色分け等の工夫を用いる必要があり、保管品を識別表示する作業が煩雑である。特許文献３では、保管品の形状が特定される為、様々な形状の保管品に対応が出来ず、保管品の分だけ準備しなければならず、多くの在庫を要すという課題があった。また、保管の為にその物を包む行為を施すと、その物が何であるかが分からなくなるという課題があった。
本考案は上記によって従来の課題を解決するもので、保管品を一見しただけで識別表示出来る機能、保管の為の包む行為を補助する挟む機能、挿着孔にゴムや紐等を用いて縛る機能、使用中でない本考案を見易く保管する為、磁石設置可能面に磁着掲示出来る機能、これら全てを備えた保管品表示クリップを提供することを目的としている。
【課題を解決するための手段】
【０００５】
上記目的を達成する為に、本考案に係る保管品表示クリップは、保管品を識別表示する表示部をつまみ部に備えた構成を有している。
この保管品を識別表示する表示部は合成樹脂製シートの片面に野菜や、お肉の種類や部位等を分かり易く示した表現で構成する。保管品を識別表示する表示部は判断し易い表現、イラスト・写真・食品サンプル・立体模型・その都度書き込む名札式  等で構成され、表現方法は問わない。
【０００６】
請求項２に係る保管品表示クリップは請求項1の考案において他のつまみ部に形設された磁石部及び／又はゴムや紐等の挿着孔、保管品を識別表示する表示部を有した構成を有している。以上のように構成されているので以下の作用を有する。
（１）保管品を識別表示する表示部を見ただけで保管品の中身が確認出来る。
（２）使用していない本考案を一か所に磁着掲示しておくことにより、保管品の有無が一目で確認出来る。
（３）（２）の磁着掲示に限らず、挟む機能を用いての掲示や、それらの機能を用いず引き出しの中に入れるのみの場合等でも、使用中でない本考案を一か所に集めておくことで、在庫のないものが一目で確認で出来る。
【考案の効果】
【０００７】
従来のクリップが有している本来の挟む機能と、挿着孔にゴムや紐等を通して縛る機能で、保管の補助行為をするとともに、保管品の種類や中身、個数等、包装紙等で覆われ本来の姿が確認出来なくなった保管品を識別表示する表示部にて表示出来る。
使用中でない本考案の保管品表示クリップは磁着掲示可能面に磁着掲示する、又は磁着掲示せずとも一か所に集めておくことによって、保管品の有無を容易に確認出来る。
本考案を使用することで保管環境が整い、関わる作業の時間短縮が可能となる。
本考案を使用することで重複保管を防止し、経済的無駄が省ける。
本考案を使用することで「食育」（食料教育）教材としての利用も考えられる。
本考案の対応出来る保管品は、保管行為により識別が出来なくなる保管品に対して全て有効であり、保管品は食品のみに限らない。
【図面の簡単な説明】
【０００８】
【図１】本考案の保管品表示クリップの正面側斜視図
【図２】保管品表示クリップの背面側斜視図
【図３】保管品を内包した包装に保管品表示クリップを挟んだ状態を示した斜視図
【図４】保管品を内包した包装に保管品表示クリップをゴムや紐等で固定した状態を示した斜視図
【図５】保管品を内包した包装を更にビニールで包み保管品表示クリップを挟んだ状態を示した斜視図
【図６】保管品表示クリップを冷蔵庫壁面に掲示した斜視図
【考案を実施するための形態】
【実施例１】
【０００９】
実施例について図1図２を参照して説明する。本考案の保管品表示クリップ〔あ〕は、一対の挟み片ａ、ｂのほぼ中央で、らせん状のばねｄによって洗濯ばさみ形状Ｂのクリップを構成し、互いに対向配置し、それぞれのつまみ片ａ.ｂとらせん状のばねｄの先端が共通の軸となり一対の挟み片が開閉自在に係合されて構成されている。つまみ片の片方ａには、保管品を識別表示する合成樹脂製シートに食材等を絵や文字等で表示した表示部Ａが固定されている。つまみ片の片方ｂには物を挟まない側の端部にゴムや紐等の挿着孔ｃが形成されている。つまみ片ｂのほぼ中央には永久磁石ｅが固定されている。
【実施例２】
【００１０】
図３は紙等の不透明シートを用いて包み内部が確認出来なくなった保管品〔い〕に保管品表示クリップ〔あ〕の挟む機能を用いて装着した状態が示されている。これにより、紙等の包みを解かないで保管品表示クリップ〔あ〕の表示部を一見しただけで中身を識別出来るとともに包装の補助が出来る。
【実施例３】
【００１１】
図４は紙等の不透明シートを用いて包み内部が確認出来なくなった保管品〔い〕に保管品表示クリップ〔あ〕の挿着孔ｃにゴムや紐等〔う〕を通し、包装物を縛る機能を用いて装着した状態が示されている。これにより、包装を強固にし保管品表示クリップの脱落を防ぐとともに中身の確認が出来る。
【実施例４】
【００１２】
図５は紙等の不透明シートを用いて包み内部が確認出来なくなった保管品〔い〕を更にビニール〔え〕で包み、保管品表示クリップ〔あ〕の挟む機能を用いて装着した状態が示されている。これにより、出口も結着し中身の保管と同時に識別を容易に出来る。
【実施例５】
【００１３】
図６は使用中でない保管品表示クリップ〔あ〕を図２の永久磁石ｅで、冷蔵庫〔お〕等の磁着掲示可能面に見易く磁着掲示した状態を示す図である。これにより、一見して在庫の有無を容易に目視出来る。
【符号の説明】
【００１４】
Ａ  保管品を識別表示する表示部
Ｂ  洗濯ばさみ形状クリップ
ａ  保管品を識別表示する表示部が固定されているつまみ片
ｂ  挿着孔の形成と永久磁石の固定があるつまみ片
ｃ  挿着孔
ｄ  らせん状のばね
ｅ  永久磁石
〔あ〕  保管品表示クリップ
〔い〕  紙等の不透明シートを用いて包み内部が確認出来なくなった保管品
〔う〕  ゴムや紐等
〔え〕  ビニール
〔お〕  冷蔵庫
【図１】
0003155099.tif 000003
【図２】
0003155099.tif 000004
【図３】
0003155099.tif 000005
【図４】
0003155099.tif 000006
【図５】
0003155099.tif 000007
【図６】
0003155099.tif 000008